(57)【特許請求の範囲】
【請求項１】
給気用送風機と、
排気用送風機と、
前記給気用送風機によって形成される室外から室内へ向かう給気流が通る給気風路と、
前記排気用送風機によって形成される室内から室外へ向かう排気流が通る排気風路とを備えた本体ケーシングと、
前記給気流と前記排気流との間で熱交換を行う熱交換器と、
前記排気風路における前記熱交換器の上流側の空気である室内空気の状態を検出する室内空気状態センサと、
前記給気風路における前記熱交換器よりも上流側の空気である外気空気の状態を検出する外気空気状態センサと、
前記室内空気状態センサ及び前記外気空気状態センサの検出結果に基づいて、前記給気用送風機及び前記排気用送風機の運転を制御する制御部とを有し、
前記制御部は、前記給気用送風機及び前記排気用送風機が停止している状態において、前記室内空気状態センサの検出結果と前記外気空気状態センサの検出結果との差に基づいて、前記外気空気状態センサ及び前記室内空気状態センサの一方に異常が発生しているか否かを判断することを特徴とする熱交換換気装置。
【請求項２】
給気用送風機と、
排気用送風機と、
前記給気用送風機によって形成される室外から室内へ向かう給気流が通る給気風路と、
前記排気用送風機によって形成される室内から室外へ向かう排気流が通る排気風路とを備えた本体ケーシングと、
前記給気流と前記排気流との間で熱交換を行う熱交換器と、
前記排気風路における前記熱交換器の上流側の空気である室内空気の状態を検出する室内空気状態センサと、
前記給気風路における前記熱交換器よりも上流側の空気である外気空気の状態を検出する外気空気状態センサと、
前記給気風路のうち前記熱交換器よりも上流側の部分と前記排気風路のうち前記熱交換器よりも上流側の部分とを接続する直結風路と、
前記直結風路を開閉するダンパと、
前記室内空気状態センサ及び前記外気空気状態センサの検出結果に基づいて、前記給気用送風機及び前記排気用送風機の運転を制御する制御部とを有し、
前記制御部は、前記ダンパが前記直結風路を開いた状態において、前記室内空気状態センサの検出結果と前記外気空気状態センサの検出結果との差に基づいて、前記外気空気状態センサ及び前記室内空気状態センサの一方に異常が発生しているか否かを判断することを特徴とする熱交換換気装置。
【請求項３】
前記制御部は、前記室内空気状態センサの検出結果と前記外気空気状態センサの検出結果との差が閾値以上の場合に、前記外気空気状態センサ及び前記室内空気状態センサの一方に異常が発生していると判断することを特徴とする請求項１又は２に記載の熱交換換気装置。
【請求項４】
前記制御部は、前記室内空気状態センサの検出結果と前記外気空気状態センサの検出結果との差分値を記憶し、前記差分値に基づいて前記外気空気状態センサの検出結果を補正することを特徴とする請求項１又は２に記載の熱交換換気装置。
【請求項５】
前記制御部は、前記給気用送風機及び前記排気用送風機を停止させてから設定時間経過後に、前記外気空気状態センサ及び前記室内空気状態センサの一方に異常が発生しているか否かを判断することを特徴とする請求項１から４のいずれか１項に記載の熱交換換気装置。
【請求項６】
前記排気風路に設けられた室内空気温度センサと、
前記給気風路に設けられた外気空気温度センサとを備え、
前記制御部は、前記室内空気温度センサの検出結果と、前記外気空気温度センサの検出結果との差分が閾値以下の時に、前記外気空気状態センサ及び前記室内空気状態センサの一方に異常が発生しているか否かを判断することを特徴とする請求項１から５のいずれか１項に記載の熱交換換気装置。
【請求項７】
前記室内空気状態センサ及び前記外気空気状態センサは、湿度センサであることを特徴とする請求項１から６のいずれか１項に記載の熱交換換気装置。
【請求項８】
前記給気風路における前記熱交換器の給気空気の状態を検出する給気空気状態センサを有し、
前記制御部は、前記室内空気状態センサの検出結果と前記給気空気状態センサの検出結果との差に基づいて、前記給気空気状態センサの検出結果に異常が発生しているか否かを判断することを特徴とする請求項１から７のいずれか１項に記載の熱交換換気装置。
【発明の詳細な説明】
【技術分野】
【０００１】
本発明は、給気流と排気流との間で熱交換を行いながら換気を行う熱交換換気装置に関する。
【背景技術】
【０００２】
特許文献１に開示される熱交換換気装置のように、外気風路に設置されたセンサで湿度を検知し、湿度が基準値以上である高湿度状態の場合には給気用送風機を一時的に停止させる制御方法がある。
【先行技術文献】
【特許文献】
【０００３】
【特許文献１】特開２０１２−１７２９６１号公報
【発明の概要】
【発明が解決しようとする課題】
【０００４】
しかしながら、湿度センサのように空気の状態を検出する空気状態センサは、外気風路に設置すると、外気空気に含まれる霧又は海塩粒子、温泉雰囲気又は自動車排気に含まれる硫化物、及び農薬に含まれる窒化物といった汚染源物質にも直に晒される。湿度センサは、抵抗式又は静電容量式が一般的である。抵抗式では水が付着することにより出力が低下し、静電容量式ではごみが付着することによって検知部の静電容量がずれて測定誤差が生じてしまう。測定誤差が生じるような異常がセンサに発生した状態では、熱交換換気装置の動作の信頼性を確保することはできない。【０００５】
特許文献１に開示される発明は、空気の状態を検出する空気状態センサに異常が発生しても検出することができないため、測定誤差が生じたまま熱交換換気装置の動作が継続するおそれがある。【０００６】
本発明は、上記に鑑みてなされたものであって、空気の状態を検出する空気状態センサに異常が発生していることを検出できる熱交換換気装置を得ることを目的とする。
【課題を解決するための手段】
【０００７】
上述した課題を解決し、目的を達成するために、本発明は、給気用送風機と、排気用送風機と、給気用送風機によって形成される室外から室内へ向かう給気流が通る給気風路と、排気用送風機によって形成される室内から室外へ向かう排気流が通る排気風路とを備えた本体ケーシングと、給気流と排気流との間で熱交換を行う熱交換器と、排気風路における熱交換器の上流側の空気である室内空気の状態を検出する室内空気状態センサと、給気風路における熱交換器よりも上流側の空気である外気空気の状態を検出する外気空気状態センサと、室内空気状態センサ及び外気空気状態センサの検出結果に基づいて、給気用送風機及び排気用送風機の運転を制御する制御部とを有する。制御部は、室内空気状態センサの検出結果と外気空気状態センサとの検出結果の差に基づいて、外気空気状態センサ及び室内空気状態センサの一方に異常が発生しているか否かを判断する。
【発明の効果】
【０００８】
本発明に係る熱交換換気装置は、空気の状態を検出する空気状態センサに異常が発生していることを検出できるという効果を奏する。
【図面の簡単な説明】
【０００９】
【図１】本発明の実施の形態１に係る熱交換換気装置の構成を示す図
【図２】実施の形態１に係る熱交換換気装置の外気湿度センサに異常が発生しているか否かを判断する動作の流れを示すフローチャート
【図３】本発明の実施の形態２に係る熱交換換気装置の構成を示す図
【図４】本発明の実施の形態３に係る熱交換換気装置の構成を示す図
【図５】実施の形態３に係る熱交換換気装置の直結風路を開いた状態を示す図
【図６】本発明の実施の形態４に係る熱交換換気装置の構成を示す図
【図７】実施の形態４に係る熱交換換気装置の室内湿度センサを外気風路側に向けた状態を示す図
【図８】実施の形態１から実施の形態４のいずれかに係る制御部の機能をハードウェアで実現した構成を示す図
【図９】実施の形態１から実施の形態４のいずれかに係る制御部の機能をソフトウェアで実現した構成を示す図
【発明を実施するための形態】
【００１０】
以下に、本発明の実施の形態に係る熱交換換気装置を図面に基づいて詳細に説明する。なお、この実施の形態によりこの発明が限定されるものではない。
【００１１】
実施の形態１．
図１は、本発明の実施の形態１に係る熱交換換気装置の構成を示す図である。実施の形態１に係る熱交換換気装置５０は、外郭をなす本体ケーシング１と、排気流を形成する排気用送風機２と、給気流を形成する給気用送風機３と、排気流と給気流との間で熱交換を行う熱交換器である全熱交換器４と、排気空気ＥＡが流出する排気吹出口５と、給気空気ＳＡが流出する給気吹出口６と、外気空気ＯＡが流入する給気吸込口７と、室内空気ＲＡが流入する排気吸込口８と、外気空気ＯＡの温度を測定する外気温度センサ９と、外気空気ＯＡの相対湿度を測定する外気湿度センサ１０と、熱交換換気装置５０の動作を制御する制御部１１と、ユーザインタフェースであるリモートコントローラ１２と、排気空気ＥＡを、全熱交換器４へ通過させる風路を通すか、全熱交換器４を経ずに直接排気用送風機２へ空気を送るバイパス風路を通すかを切り替える風路切替ダンパ１３と、室内空気ＲＡの温度を測定する室内温度センサ１４と、室内空気ＲＡの相対湿度を測定する室内湿度センサ１５とを有する。排気流は、排気吸込口８から流入した室内空気ＲＡが全熱交換器４を通過することによって排気空気ＥＡとなり、排気吹出口５から流出することによって形成される。給気流は、給気吸込口７から流入した外気空気ＯＡが全熱交換器４を通過することによって給気空気ＳＡとなり、給気吹出口６から流出することによって形成される。
【００１２】
熱交換換気装置５０は、室内側に給気吹出口６及び排気吸込口８を備え、室外側に排気吹出口５及び給気吸込口７を備えている。熱交換換気装置５０は、室外側の給気吸込口７と室内側の給気吹出口６とを連通させる給気風路と、室内側の排気吸込口８と室外側の排気吹出口５とを連通させる排気風路とを備えている。すなわち、本体ケーシング１は、給気用送風機３によって形成される室外から室内へ向かう給気流が通る給気風路と、排気用送風機２によって形成される室内から室外へ向かう排気流が通る排気風路とを備えている。
【００１３】
給気用送風機３は、給気風路に組み込まれている。排気用送風機２は、排気風路に組み込まれている。全熱交換器４は、給気風路と排気風路との間に設置されて、外気空気ＯＡと室内空気ＲＡとの間で連続的に全熱交換を行う。
【００１４】
全熱交換器４においては、排気流を通す一次側風路と給気流を通す二次側風路とは、透湿性を有する仕切り材を挟んで隣接している。したがって、給気流と排気流との間で潜熱を交換して、全熱交換換気を行える。
【００１５】
風路切替ダンパ１３は、排気風路の全熱交換器４よりも上流側に設置されている。風路切替ダンパ１３が閉じているとき、排気流となった室内空気ＲＡは全熱交換器４を通り、給気流となった外気空気ＯＡと連続的に全熱交換を行うが、風路切替ダンパ１３が開いているとき、排気流となった室内空気ＲＡは全熱交換器４の脇に設置されたバイパス風路を通り、給気流となった外気空気ＯＡと熱交換を行うことなく室外へ排出される。
【００１６】
外気温度センサ９及び外気湿度センサ１０は、給気風路のうち全熱交換器４よりも上流側の部分、すなわち給気吸込口７と全熱交換器４との間の風路に設置されている。以下の説明において、給気風路のうち給気吸込口７と全熱交換器４との間の部分を外気風路３０という。外気湿度センサ１０は、給気風路における全熱交換器４よりも上流側の空気である外気空気ＯＡの状態を検出する外気空気状態センサである。室内温度センサ１４及び室内湿度センサ１５は、排気風路のうち全熱交換器４よりも上流側の部分、すなわち排気吸込口８と全熱交換器４との間の風路に設置されている。以下の説明において、排気風路のうち排気吸込口８と全熱交換器４との間の部分を室内風路３１という。室内湿度センサ１５は、排気風路における全熱交換器４の上流側の空気である室内空気ＲＡの状態を検出する室内空気状態センサである。
【００１７】
外気温度センサ９、外気湿度センサ１０、室内温度センサ１４及び室内湿度センサ１５は、制御部１１に接続されており、外気温度ＴＯＡ、外気湿度ＲＨＯＡ、室内温度ＴＲＡ及び室内湿度ＲＨＲＡについての情報が定期的に制御部１１に送信される。
【００１８】
外気温度センサ９、外気湿度センサ１０、室内温度センサ１４及び室内湿度センサ１５は、熱交換換気装置５０の運転状態に関わらず常時温度又は湿度を測定する。したがって、外気温度ＴＯＡ、外気湿度ＲＨＯＡ、室内温度ＴＲＡ及び室内湿度ＲＨＲＡについての情報は、熱交換換気装置５０の運転が停止している場合でも定期的に制御部１１に送信される。すなわち、熱交換換気装置５０が運転されている状態とは、給気用送風機３及び排気用送風機２が動作している状態である。また、熱交換換気装置５０が停止している状態とは、給気用送風機３及び排気用送風機２が停止している状態である。
【００１９】
図２は、実施の形態１に係る熱交換換気装置の外気湿度センサに異常が発生しているか否かを判断する動作の流れを示すフローチャートである。ステップＳ１において、制御部１１は、熱交換換気装置５０を運転中であるか否かを判断する。熱交換換気装置５０を運転中であれば、ステップＳ１でＹｅｓとなり、ステップＳ９に進んで、制御部１１は熱交換換気装置５０を運転する。ステップＳ１からステップＳ９に進んだ場合には、熱交換換気装置５０は既に運転されているため、制御部１１は熱交換換気装置５０の運転を継続することになる。熱交換換気装置５０を運転中でなければ、ステップＳ１でＮｏとなり、ステップＳ２に進み、制御部１１は、運転を停止してからの経過時間をタイマにより計測する。
【００２０】
ステップＳ３において、制御部１１は、熱交換換気装置５０の運転を停止してからの経過時間が、Ｔ＿ｓｔｏｐよりも長くなったか否かを判断する。Ｔ＿ｓｔｏｐは、熱交換換気装置５０内の空気条件が外気風路３０と室内風路３１とで同じになったことを判定するための閾値である。熱交換換気装置５０の運転中は、外気風路３０と室内風路３１とで温度及び湿度といった空気条件が異なるが、熱交換換気装置５０の運転を停止すると、エントロピー増大則により熱交換換気装置５０内の空気条件は均一になっていく。熱交換換気装置５０の運転を停止してからの経過時間がＴ＿ｓｔｏｐよりも長い場合、熱交換換気装置５０内に外気が導入されることによる影響がなくなり、外気風路３０と室内風路３１とで空気条件が同じになったとみなすことができる。
【００２１】
熱交換換気装置５０の運転を停止してからの経過時間がＴ＿ｓｔｏｐ以下の場合、ステップＳ３でＮｏとなり、ステップＳ２に戻り、制御部１１は、熱交換換気装置５０の運転を停止してからの経過時間の計測を継続する。熱交換換気装置５０の運転を停止してからの経過時間がＴ＿ｓｔｏｐよりも長い場合、ステップＳ３でＹｅｓとなり、ステップＳ４に進む。
【００２２】
ステップＳ４において、制御部１１は、熱交換換気装置５０の運転を再開するか否かを判断する。熱交換換気装置５０の運転を再開する条件は、熱交換換気装置５０を運転する操作がリモートコントローラ１２を通じてなされている場合及び外気空気ＯＡの湿度が間欠運転を開始する閾値を下回った場合を挙げることができる。熱交換換気装置５０の運転を再開する場合、ステップＳ４でＹｅｓとなり、制御部１１は、ステップＳ８に進んでタイマをクリアする。その後、ステップＳ９において、制御部１１は、熱交換換気装置５０の運転を開始する。熱交換換気装置５０の運転を再開しない場合、ステップＳ４でＮｏとなり、ステップＳ５において、制御部１１は、外気温度センサ９により検出される外気温度ＴＯＡと室内温度センサ１４により検出される室内温度ＴＲＡとの差分｜ＴＯＡ−ＴＲＡ｜を求め、閾値Ｔａ以下であるか否かを判断する。閾値Ｔａは、空気が撹拌されたか否かの判定を行うための閾値である。｜ＴＯＡ−ＴＲＡ｜が閾値Ｔａ以下であれば、空気が撹拌された状態であり、｜ＴＯＡ−ＴＲＡ｜が閾値Ｔａを超過する場合は撹拌が不十分な状態である。
【００２３】
｜ＴＯＡ−ＴＲＡ｜が閾値Ｔａ以下であれば、ステップＳ５でＹｅｓとなり、ステップＳ６に進む。｜ＴＯＡ−ＴＲＡ｜が閾値Ｔａを超過する場合は、ステップＳ５でＮｏとなり、制御部１１は、ステップＳ５を繰り返す。
【００２４】
ステップＳ６において、制御部１１は、外気湿度センサ１０により検出される外気湿度ＲＨＯＡと室内湿度センサ１５により検出される室内湿度ＲＨＲＡとの差分｜ＲＨＯＡ−ＲＨＲＡ｜を求め、閾値ＲＨａ以下であるか否かを判断する。閾値ＲＨａは、外気湿度センサ１０に異常が発生しているか否かを判断するための閾値である。｜ＲＨＯＡ−ＲＨＲＡ｜が閾値ＲＨａ以下であれば、外気湿度センサ１０に異常が発生していない状態であり、｜ＲＨＯＡ−ＲＨＲＡ｜が閾値ＲＨａを超過していれば、外気湿度センサ１０に異常が発生している状態である。
【００２５】
｜ＲＨＯＡ−ＲＨＲＡ｜が閾値ＲＨａ以下であれば、ステップＳ６でＹｅｓとなり、ステップＳ４に戻る。｜ＲＨＯＡ−ＲＨＲＡ｜が閾値ＲＨａを超過していれば、ステップＳ６でＮｏとなり、ステップＳ７において、制御部１１は、外気湿度の測定結果に誤差が生じていることを示す情報をリモートコントローラ１２に表示させる。ステップＳ７及びステップＳ９の後、制御部１１は、外気湿度センサ１０に異常が発生しているか否かを判断する処理を終了する。
【００２６】
実施の形態１に係る熱交換換気装置５０は、室外側に外気温度センサ９及び外気湿度センサ１０を備え、室内側に室内温度センサ１４及び室内湿度センサ１５を備える。室外側の外気温度センサ９及び外気湿度センサ１０は、汚染源物質が付着することによりセンサに異常が発生する可能性がある。一方、室内側は室外側とは異なり霧又は高湿度空気が吸い込まれることが無く、汚染源物質が付着しにくいため、室内温度センサ１４及び室内湿度センサ１５には、異常が生じにくい。したがって、室内湿度センサ１５による測定結果は、外気湿度センサ１０の異常の有無の判断の基準に用いることができる。すなわち、外気湿度センサ１０に異常が発生しているか否かを、室内湿度センサ１５の測定結果を利用して判断することができる。
【００２７】
閾値ＲＨａは、湿度センサにて制御したい制御値とのずれとの差分にすればよい。特に、湿度センサにて霧又は高湿度空気を検知して給気用送風機３を間欠運転させたい場合には、特性ずれにより低湿度を高湿度と誤検知してしまい、実際の湿度が低い状態でも給気用送風機３を間欠運転してしまう可能性がある。したがって、閾値ＲＨａは、相対湿度管理基準の上限値と高湿度による間欠運転制御開始湿度ＲＨＨＵＭとの差とすればよい。日本国においては、建築物衛生法の室内の相対湿度管理基準上限である７０％ＲＨと高湿度による間欠運転制御開始湿度ＲＨＨＵＭとの差を閾値ＲＨａに設定し、ＲＨａ＝（ＲＨＨＵＭ−７０）とすればよい。
【００２８】
外気湿度センサ１０に異常が発生している場合、制御部１１は、経時劣化が発生していることを示す情報をリモートコントローラ１２に表示させるため、ユーザは、外気湿度センサ１０に異常が生じていることを容易に認識でき、速やかに保守整備を行える。外気湿度センサ１０を保守整備することにより、異常が生じていない状態で熱交換換気装置５０を使用することが可能となる。
【００２９】
また、外気湿度センサ１０を高湿度時の間欠運転制御だけに使用するのであれば、閾値ＲＨａの判定は、室内湿度ＲＨＲＡが７０％の時だけ行えば高湿度時の測定誤差を検出することができる。
【００３０】
以上のように、実施の形態１に係る熱交換換気装置５０は、外気温度、外気湿度、室内温度及び室内湿度についての情報から外気湿度センサ１０の特性のずれを検出できる。すなわち、外気温度センサ９の検出結果及び室内温度センサ１４の検出結果に基づいて熱交換換気装置５０内の空気が撹拌されているか否かを判断した上で、室内湿度センサ１５の検出結果と外気湿度センサ１０の検出結果との差に基づいて外気湿度センサ１０に異常が発生しているか否かを判断できる。したがって、実施の形態１に係る熱交換換気装置５０は、外気湿度センサ１０が検出する外気湿度に基づいて間欠運転を行う場合に、誤検知による間欠運転が生じることを防止できる。よって、実施の形態１に係る熱交換換気装置５０は、精度のよい省エネルギー制御及び換気装置の保護制御を実施することができる。
【００３１】
また、実施の形態１に係る熱交換換気装置５０は、外気湿度センサ１０の測定誤差の大きさが分かるため、外気湿度センサ１０が交換されるまでの間は、制御部１１は、測定誤差を考慮して補正した真の検出値を記憶して、熱交換換気装置５０を制御させることで、外気湿度センサ１０の出力に誤差が生じても、熱交換換気装置５０を適切に運転できる。
【００３２】
上記の説明において、外気温度センサ９及び外気湿度センサ１０は、給気風路の全熱交換器４よりも上流側の部分に設けられていたが、排気風路の全熱交換器４よりも下流側の部分に設けられていてもよい。
【００３３】
実施の形態２．
図３は、本発明の実施の形態２に係る熱交換換気装置の構成を示す図である。実施の形態２に係る熱交換換気装置５０は、給気流の温度を調整する直膨コイル１６と、給気流を加湿する加湿ユニット１７と、給気吹出口６から吹き出す給気流の温度を測定する給気温度センサ１８と、給気吹出口６から吹き出す給気流の湿度を測定する給気湿度センサ１９とを有する点で実施の形態１に係る熱交換換気装置５０と相違する。直膨コイル１６及び加湿ユニット１７は、給気風路の給気用送風機３よりも下流側の部分に設置される。
【００３４】
直膨コイル１６は、外気空気ＯＡが高温高湿の時には空気を除湿する目的で使用され、外気空気ＯＡが低温低湿の時には空気を加温する目的で使用される。給気温度センサ１８及び給気湿度センサ１９が設置されているため、制御部１１は、給気吹出口６から吹き出される給気流の除湿量及び加湿量を認識できる。したがって、制御部１１は、室内湿度を維持するための除湿能力又は加湿能力を算出し、室内の快適性と省エネルギー性とを両立させることができる。
【００３５】
給気温度センサ１８及び給気湿度センサ１９が設置される給気風路は、外気空気ＯＡが通る風路であるため、給気温度センサ１８及び給気湿度センサ１９には、外気温度センサ９及び外気湿度センサ１０と同様に外気空気ＯＡに含まれている汚染源物質が付着する可能性がある。また、直膨コイル１６で給気流を除湿した場合、除湿によって発生した露が直膨コイル１６の表面に付着しているため、直膨コイル１６の表面に付着している露が飛んで給気温度センサ１８又は給気湿度センサ１９に付着する可能性がある。したがって、給気温度センサ１８及び給気湿度センサ１９は、外気温度センサ９及び外気湿度センサ１０と同様に、異常が生じる可能性がある。
【００３６】
除湿運転時に給気湿度にずれが生じていると、給気吹出口６から吹き出す空気の湿度が高く、除湿不足であると誤検知される。この場合、除湿能力を高める制御がなされるため、省エネルギー性が損なわれてしまう。また、加湿運転時に給気湿度にずれが生じていると、給気吹出口６から吹き出す空気の湿度が高く、加湿過多であると誤検知される。この場合、加湿能力を低くする制御がなされるため、室内の快適性が低下してしまう。
【００３７】
給気温度センサ１８及び給気湿度センサ１９も、室内温度センサ１４及び室内湿度センサ１５の測定結果との差分を閾値と比較することで、異常が生じていることを検出可能となり、省エネルギー性及び室内の快適性が低下することを防止できる。
【００３８】
以上のように、実施の形態２に係る熱交換換気装置５０は、給気温度、給気湿度、室内温度及び室内湿度から給気湿度センサ１９の特性のずれを検出し、誤検知による除湿不足及び加湿過多が生じることを防止できる。したがって、実施の形態２に係る熱交換換気装置５０は、省エネルギー性及び室内の快適性が低下することを防止できる。
【００３９】
実施の形態３．
図４は、本発明の実施の形態３に係る熱交換換気装置の構成を示す図である。実施の形態３に係る熱交換換気装置は、給気風路のうち全熱交換器４よりも上流側の部分である外気風路３０と排気風路のうち全熱交換器４よりも上流側の部分である室内風路３１とを繋ぐ直結風路３２を備えている。直結風路３２には、ダンパ３３が設置されている。図４において、直結風路３２は、本体ケーシング１の外に設けられているが、直結風路３２は、外気風路３０と室内風路３１とを仕切る壁に形成した穴であってもよい。外気風路３０と室内風路３１とを仕切る壁に形成した穴を直結風路３２とする場合には、ダンパ３３は、直結風路３２をなす穴を開閉する。
【００４０】
通常換気運転時は、ダンパ３３は直結風路３２を塞いでおり、全熱交換器４への空気の供給は妨げられない。ダンパ３３が直結風路３２を塞いでいるため、外気風路３０の空気と室内風路３１の空気とが混ざることはなく、外気温度センサ９及び外気湿度センサ１０は、外気空気ＯＡの温度及び湿度を測定し、室内温度センサ１４及び室内湿度センサ１５は、室内空気ＲＡの温度及び湿度を測定する。
【００４１】
図５は、実施の形態３に係る熱交換換気装置の直結風路を開いた状態を示す図である。換気運転を停止し、外気湿度センサ１０の異常の有無を判断する際、ダンパ３３は直結風路３２を開き、外気風路３０と室内風路３１とを連通させる。したがって、外気風路３０の空気と室内風路３１の空気とが直結風路３２を通じて混ざり合い、外気湿度センサ１０の異常の有無の判断の精度が向上する。
【００４２】
なお、直結風路３２内に空気の導入及び撹拌を目的とした送風機を配置することで、強制的に外気風路３０の空気を室内風路３１に取り込み、外気風路３０内と室内風路３１内との空気条件の均一化を促進してもよい。また、換気運転を停止せず、給気用送風機３及び排気用送風機２を動作させたまま、直結風路３２を開いて外気風路３０と室内風路３１とを繋ぎ、外気風路３０の空気条件と室内風路３１の空気条件とを均一化してもよい。
【００４３】
また、直結風路３２にダンパ３３に代えて空気遮断弁を設け、通常運転時に外気風路３０と室内風路３１とを遮断してもよい。
【００４４】
実施の形態４．
図６は、本発明の実施の形態４に係る熱交換換気装置の構成を示す図である。実施の形態４に係る熱交換換気装置は、外気風路３０と室内風路３１とを隔てる壁に回転部３４が設けられている。室内湿度センサ１５は、回転部３４の一方の面に設置されている。回転部３４には不図示の回転機構を備えており、回転部３４の室内湿度センサ１５が設置された面を外気風路３０側にするか室内風路３１側にするかを切り替え可能となっている。通常の換気運転時、室内湿度センサ１５は、室内風路３１側に向けられており、室内空気ＲＡの湿度を検出する。
【００４５】
図７は、実施の形態４に係る熱交換換気装置の室内湿度センサを外気風路側に向けた状態を示す図である。熱交換換気装置５０が運転を停止し、外気湿度センサ１０の異常を検出する際に、回転部３４が回転し、室内湿度センサ１５は外気風路３０側に向けられる。室内湿度センサ１５と外気湿度センサ１０とが同じ外気風路３０内の空気の湿度を検出することにより、外気湿度センサ１０の異常の有無の判断の精度が向上する。また、熱交換換気装置５０内部の空気条件が均一になったかを判定するための時間の閾値Ｔ＿ｓｔｏｐを短縮でき、メンテナンス性の向上を図れる。
【００４６】
換気運転が再開されると、室内湿度センサ１５は、回転部３４が回転することにより室内風路３１側に向けられ、室内空気ＲＡの湿度を測定する。
【００４７】
なお、外気湿度センサ１０も室内風路３１側に向けるか外気風路３０側に向けるかを切り替え可能とし、換気停止時かつ外気湿度センサ１０の異常の有無を判断中でない場合は、室内風路３１側に向けることで、外気空気ＯＡに含まれる汚染源物質に外気湿度センサ１０が晒される時間を短くすることができる。
【００４８】
上記実施の形態１、実施の形態２、実施の形態３及び実施の形態４において、湿度を検出する外気湿度センサ１０の異常の有無を判断したが、ＣＯ２センサ又はアンモニアセンサといったガス成分量を測定するセンサであれば、同様に異常の有無を判断可能である。また、設置するセンサが二つあれば、一方を基準にすれば良いため、外気空気ＯＡよりも室内空気ＲＡの方が水滴又は粉塵を多く含む環境で熱交換換気装置５０を運用する場合には、外気湿度センサ１０の測定値を基準にして室内湿度センサ１５の異常の有無を判断することも可能である。
【００４９】
また、上記実施の形態１、実施の形態２、実施の形態３及び実施の形態４において、熱交換換気装置５０は、全熱交換を行う全熱交換器４を有していたが、顕熱の交換のみを行う顕熱交換器を有する構成とすることもできる。
【００５０】
上記実施の形態１から実施の形態４の制御部１１の機能は、処理回路により実現される。すなわち制御部１１は、外気湿度センサ１０の検出結果と室内湿度センサ１５の測定結果との差に基づいて、外気湿度センサ１０に異常が生じているか否かを判断する処理と、給気湿度センサ１９の測定結果と外気湿度センサ１０の測定結果との差に基づいて給気湿度センサ１９に異常が生じているか否かを判断する処理とを行う処理回路を備える。また、処理回路は、専用のハードウェアであっても、記憶装置に格納されるプログラムを実行する演算装置であってもよい。
【００５１】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図８は、実施の形態１から実施の形態４のいずれかに係る制御部の機能をハードウェアで実現した構成を示す図である。処理回路２９には、外気湿度センサ１０の検出結果と室内湿度センサ１５の測定結果との差に基づいて、外気湿度センサ１０に異常が生じているか否かを判断する処理と、給気湿度センサ１９の測定結果と外気湿度センサ１０の測定結果との差に基づいて給気湿度センサ１９に異常が生じているか否かを判断する処理とを実現する論理回路２９ａが組み込まれている。
【００５２】
処理回路２９が演算装置の場合、外気湿度センサ１０の検出結果と室内湿度センサ１５の測定結果との差に基づいて、外気湿度センサ１０に異常が生じているか否かを判断する処理と、給気湿度センサ１９の測定結果と外気湿度センサ１０の測定結果との差に基づいて給気湿度センサ１９に異常が生じているか否かを判断する処理とは、ソフトウェア、ファームウェア、又はソフトウェアとファームウェアとの組み合わせにより実現される。
【００５３】
図９は、実施の形態１から実施の形態４のいずれかに係る制御部の機能をソフトウェアで実現した構成を示す図である。処理回路２９は、プログラム２９ｂを実行する演算装置２９１と、演算装置２９１がワークエリアに用いるランダムアクセスメモリ２９２と、プログラム２９ｂを記憶する記憶装置２９３を有する。記憶装置２９３に記憶されているプログラム２９ｂを演算装置２９１がランダムアクセスメモリ２９２上に展開し、実行することにより、外気湿度センサ１０の検出結果と室内湿度センサ１５の測定結果との差に基づいて、外気湿度センサ１０に異常が生じているか否かを判断する処理と、給気湿度センサ１９の測定結果と外気湿度センサ１０の測定結果との差に基づいて給気湿度センサ１９に異常が生じているか否かを判断する処理とが実現される。ソフトウェア又はファームウェアはプログラム言語で記述され、記憶装置２９３に格納される。演算装置２９１は、中央処理装置を例示できるがこれに限定はされない。
【００５４】
処理回路２９は、記憶装置２９３に記憶されたプログラム２９ｂを読み出して実行することにより、各処理を実現する。すなわち、制御部１１は、処理回路２９により実行されるときに、外気湿度センサ１０の検出結果と室内湿度センサ１５の測定結果との差に基づいて、外気湿度センサ１０に異常が生じているか否かを判断するステップ、又は給気湿度センサ１９の測定結果と外気湿度センサ１０の測定結果との差に基づいて給気湿度センサ１９に異常が生じているか否かを判断するステップが結果的に実行されることになるプログラム２９ｂを記憶するための記憶装置２９３を備える。また、プログラム２９ｂは、上記の手順及び方法をコンピュータに実行させるものであるとも言える。
【００５５】
なお、処理回路２９は、一部を専用のハードウェアで実現し、一部をソフトウェア又はファームウェアで実現するようにしてもよい。
【００５６】
このように、処理回路２９は、ハードウェア、ソフトウェア、ファームウェア、又はこれらの組み合わせによって、上述の各機能を実現することができる。
【００５７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５８】
１  本体ケーシング、２  排気用送風機、３  給気用送風機、４  全熱交換器、５  排気吹出口、６  給気吹出口、７  給気吸込口、８  排気吸込口、９  外気温度センサ、１０  外気湿度センサ、１１  制御部、１２  リモートコントローラ、１３  風路切替ダンパ、１４  室内温度センサ、１５  室内湿度センサ、１６  直膨コイル、１７  加湿ユニット、１８  給気温度センサ、１９  給気湿度センサ、２９  処理回路、２９ａ  論理回路、２９ｂ  プログラム、３０  外気風路、３１  室内風路、３２  直結風路、３３  ダンパ、３４  回転部、５０  熱交換換気装置、２９１  演算装置、２９２  ランダムアクセスメモリ、２９３  記憶装置。
【図１】
0006793850.tif 000002
【図２】
0006793850.tif 000003
【図３】
0006793850.tif 000004
【図４】
0006793850.tif 000005
【図５】
0006793850.tif 000006
【図６】
0006793850.tif 000007
【図７】
0006793850.tif 000008
【図８】
0006793850.tif 000009
【図９】
0006793850.tif 000010